(57)【要約】【課題】携帯機器が水中で被水するのを抑制すると共に水中で携帯機器を用いた通信を行ったり水中で携帯機器と対象物との距離測定を行う。【解決手段】防水ボックス２０は、携帯電話１０を収納する筺体部２２と、携帯電話１０のバイブレータ１３からの振動が最も強く伝播される部位と筺体部２２とに接触するように設けられる振動伝達部２６と、携帯電話１０の振動センサ１４と筺体部２２とに接触するように設けられる振動伝達部２８と、を備える。これにより、携帯電話１０のバイブレータ１３からの振動信号を防水ボックス２０を介して水中に伝送することができ、外部から防水ボックス２０に作用する振動信号を振動センサ１４で検知して携帯電話１０に受信させることができる。【選択図】図５
2012124606.tif 000002
【特許請求の範囲】
【請求項１】
携帯機器を収納して該携帯機器が被水するのを抑制する防水ボックスであって、
前記携帯機器を収納する筺体部と、
前記携帯機器が前記筺体部に収納されたときに該携帯機器の所定の部位と該筺体部とに接触する振動伝達部と、を有し、
水中において、前記携帯機器から発せられる所定の振動信号を前記振動伝達部を介して前記筺体部から外部に伝送するように形成されてなる、
ことを特徴とする防水ボックス。
【請求項２】
前記振動伝達部は、前記携帯機器の所定の部位として、該携帯機器が前記所定の振動信号を発するためのアクチュエータに接触するよう設けられてなる、
ことを特徴とする請求項１に記載の防水ボックス。
【請求項３】
携帯機器を収納して該携帯機器が被水するのを抑制する防水ボックスであって、
前記携帯機器を収納する筺体部と、
前記携帯機器が前記筺体部に収納されたときに該携帯機器の所定の部位と該筺体部とに接触する振動伝達部と、を有し、
水中において、外部から前記筺体部に作用する所定の振動信号を前記振動伝達部を介して前記携帯機器に伝播させ、該携帯機器が前記所定の振動信号に基づく信号を検知するように形成されてなる、
ことを特徴とする防水ボックス。
【請求項４】
前記振動伝達部は、前記携帯機器の所定の部位として、該携帯機器が前記所定の振動信号に基づく信号を検知するためのセンサに接触するよう設けられてなる、
ことを特徴とする請求項３に記載の防水ボックス。
【請求項５】
前記筺体部は、前記携帯機器を少なくとも２カ所以上で支持する、
ことを特徴とする請求項１乃至４のいずれか１項に記載の防水ボックス。
【請求項６】
前記筺体部は、前記携帯機器を支持する少なくとも２つ以上の支持部を有する、
ことを特徴とする請求項５に記載の防水ボックス。
【請求項７】
前記筺体部は、前記振動伝達部が設けられた面が外側に凸となる曲面形状に形成されてなる、
ことを特徴とする請求項１乃至６のいずれか１項に記載の防水ボックス。
【請求項８】
前記振動伝達部は、曲屈振動によって前記筺体部と前記携帯機器との振動を伝播させるものであり、該曲屈振動の励振を助長するスリット又は空隙が形成されてなる、
ことを特徴とする請求項１乃至７のいずれか１項に記載の防水ボックス。
【請求項９】
請求項１乃至８のいずれか１項に記載の防水ボックスに収納可能な携帯機器であって、
振動信号を発信するアクチュエータと、
振動信号を検知する振動センサと、を有し、
前記防水ボックスに収納されているときに、水中で前記アクチュエータの駆動により前記防水ボックスを介して外部に振動信号を伝送すると共に水中で外部から前記防水ボックスに振動信号が作用したときに該作用した振動信号を該防水ボックスを介して前記振動センサで検知する、
ことを特徴とする携帯機器。
【請求項１０】
前記防水ボックスに収納されているときに、水中で、前記アクチュエータの駆動により前記防水ボックスを介して対象物に振動信号を送信し、該送信した振動信号が該対象物を反射して該防水ボックスに作用するのを前記振動センサで検知し、前記振動信号を送信してから該送信した振動信号が反射されて検知されるまでの時間を計時することにより前記対象物との距離を測定する、
ことを特徴とする請求項９記載の携帯機器。
【発明の詳細な説明】
【技術分野】
【０００１】
本発明は、防水ボックス及び携帯機器に関し、詳しくは、携帯機器を防水する防水ボックス及びこの防水ボックスに収納可能な携帯機器に関する。
【背景技術】
【０００２】
従来、この種の携帯機器として、携帯電話やノート型パーソナルコンピュータ，ＰＤＡ（Ｐｅｒｓｏｎａｌ  Ｄｉｇｉｔａｌ  Ａｓｓｉｓｔａｎｔ）など携帯性をもつ小型な電子機器が盛んに利用されている。こうした携帯機器としては、カメラ機能を具備するものが提案されており、昨今、レジャーなどで撮影するのを目的として、場所などの条件を問わずにカメラ機能を用いて被写体を撮影できる携帯機器が求められている。こうした要望に対して、携帯電話を収納して携帯電話が被水するのを抑制し、水中においても被写体を撮影可能とする防水箱が提案されている（例えば、特許文献１参照）。また、この種の防水箱としては、折りたたみ可能な携帯電話を収納可能とし、携帯電話のバイブレータによる振動に伴って防水箱が振動することにより、利用者が携帯電話の振動を認識しやすくするものが提案されている（例えば、特許文献２参照）。
【先行技術文献】
【特許文献】
【０００３】
【特許文献１】特開２００５−２６９１９１号公報
【特許文献２】特開２００４−１６３６０号公報
【発明の概要】
【発明が解決しようとする課題】
【０００４】
しかしながら、前段の防水箱では、水中で撮影するときに、水に光が吸収されたり、一般に防水箱と水との屈折率が異なるために防水箱で光が反射されたりして携帯電話のカメラに十分な光量が採取されない場合がある。この場合、特に、カメラに採取される光を用いて被写体物に自動で焦点を合わせるオートフォーカス機能を有するものでは、このオートフォーカス機能を用いることができなくなってしまう。また、後段の防水箱では、利用者は、水中で携帯電話の振動を認識することができても、携帯電話を使用するには大気中で防水箱から携帯電話を取り出して使用する必要がある。さらに、携帯電話から発せられる電磁波は水に吸収されやすいために、これらの防水箱に携帯機器を収納しても、水中で電磁波を用いて通信を行なうことは困難である。
【０００５】
本発明は、携帯機器が水中で被水するのを抑制すると共に水中で携帯機器を用いた通信を行うことや水中で携帯機器と対象物との距離測定を行うことを目的とする。
【課題を解決するための手段】
【０００６】
上記目的を達成するため、本発明の第１の観点に係る防水ボックスは、
携帯機器を収納して該携帯機器が被水するのを抑制する防水ボックスであって、
前記携帯機器を収納する筺体部と、
前記携帯機器が前記筺体部に収納されたときに該携帯機器の所定の部位と該筺体部とに接触する振動伝達部と、を有し、
水中において、前記携帯機器から発せられる所定の振動信号を前記振動伝達部を介して前記筺体部から外部に伝送するように形成されてなる、
ことを特徴とする。
【０００７】
また、上記目的を達成するため、本発明の第２の観点に係る防水ボックスは、
携帯機器を収納して該携帯機器が被水するのを抑制する防水ボックスであって、
前記携帯機器を収納する筺体部と、
前記携帯機器が前記筺体部に収納されたときに該携帯機器の所定の部位と該筺体部とに接触する振動伝達部と、を有し、
水中において、外部から前記筺体部に作用する所定の振動信号を前記振動伝達部を介して前記携帯機器に伝播させ、該携帯機器が前記所定の振動信号に基づく信号を検知するように形成されてなる、
ことを特徴とする。
【０００８】
さらに、上記目的を達成するため、本発明の第３の観点に係る携帯機器は、
本発明の第１または第２の観点に係る防水ボックスに収納可能な携帯機器であって、
振動信号を発信するアクチュエータと、
振動信号を検知する振動センサと、を有し、
前記防水ボックスに収納されているときに、水中で前記アクチュエータの駆動により前記防水ボックスを介して外部に振動信号を伝送すると共に水中で外部から前記防水ボックスに振動信号が作用したときに該作用した振動信号を該防水ボックスを介して前記振動センサで検知する、
ことを特徴とする。
【発明の効果】
【０００９】
本発明の防水ボックス及び携帯機器によれば、携帯機器が水中で被水するのを抑制すると共に水中で携帯機器を用いた通信を行うことができる。また、こうした水中での通信機能を用いることによって水中で携帯機器と対象物との距離測定を行うことができる。
【図面の簡単な説明】
【００１０】
【図１】本発明の一実施形態としての防水ボックス及び携帯電話の外観を例示する外観側面図である。
【図２】防水ボックス及び携帯電話を図１中Ａ−Ａ面から見たＡＡ視図である。
【図３】実施形態の携帯電話の外観を正面から見た一例を示す正面図である。
【図４】実施形態の携帯電話の外観を背面から見た一例を示す背面図である。
【図５】実施形態の防水ボックスに収納された携帯電話の水中での通信動作原理を模式的に示す模式図である。
【図６】本発明の水中ボックスに収納された携帯電話を用いて水中で被写体物を撮影するときの様子の一例を模式的に示す模式図である。
【図７】本発明の防水ボックスに収納された携帯電話を用いて水中から水上の通信対象と通信するときの様子の一例を模式的に示す模式図である。
【図８】実施形態の防水ボックスに収納された携帯電話を複数用いて水中で通信を行なう際の様子の一例を模式的に示す模式図である。
【図９】変形例の振動伝達部の外観の一例を示す外観図である。
【図１０】変形例の振動伝達部の外観の一例を示す外観図である。
【図１１】変形例の振動伝達部の外観の一例を示す外観図である。
【図１２】変形例の振動伝達部の外観の一例を示す外観図である。
【図１３】変形例の振動伝達部の外観の一例を示す外観図である。
【図１４】変形例の防水ボックス及び携帯電話の外観を例示する外観側面図である。
【発明を実施するための形態】
【００１１】
以下、本発明の実施形態に係る防水ボックス及び携帯電話を図面を参照して説明する。
【００１２】
図１は、本発明の一実施形態としての防水ボックス２０及び携帯電話１０の外観を例示する外観側面図であり、図２は、防水ボックス２０及び携帯電話１０を図１中Ａ−Ａ面から見たＡＡ視図である。なお、図１および図２では、携帯電話１０が防水ボックス２０に収納された状態の様子を示している。
【００１３】
携帯電話１０は、携帯電話網を通じて電波による無線通信が可能な携帯機器として構成されている。図３に、実施形態の携帯電話１０の外観を正面から見た一例を示し、図４に、実施形態の携帯電話１０の外観を背面から見た一例を示す。携帯電話１０は、図示するように、受話口で話された音声を集音するマイクロホン１１と、送話口を介して音声を外部に出力するスピーカ１２と、振動によって利用者に着信などを知らせるバイブレータ１３と、外部からの振動情報を受信する振動センサ１４と、画像を撮影するＣＣＤカメラ１５と、テンキー等を含む操作ボタン１６と、各種画像を表示するディスプレイ１７と、各種データを保存するメモリ１８と、携帯電話全体の制御を司るコントローラ１９と、を備える。実施形態の携帯電話１０では、図３および図４に示すように、マイクロホン１１やスピーカ１２，操作ボタン１６，ディスプレイ１７は、それぞれ携帯電話１０の正面に設けられ、振動センサ１４やＣＣＤカメラ１５は、それぞれ携帯電話１０の背面に設けられている。また、実施形態の携帯電話１０では、バイブレータ１３は、携帯電話１０の略中心に位置し、携帯電話１０の背面略中心（図４中、破線で囲まれた部位）に最も強く振動を発生させる。
【００１４】
防水ボックス２０は、携帯電話１０を収納して携帯電話１０が被水するのを抑制する防水箱として形成され、図１および図２に示すように、携帯電話１０を収納して内部に水が侵入するのを抑制する筺体部２２と、筺体部２２内部に携帯電話１０が支持されるよう携帯電話１０を支持する支持部２４と、筺体部２２内部に設けられた振動伝達部２６，２８と、から構成される。
【００１５】
筺体部２２や支持部２４は、防水性や剛性が優れた部材として例えばポリカーボネートなどにより形成され、携帯電話１０が収納されて支持されるようにその大きさや形状が携帯電話１０の形状に合わせて形成されている。実施形態の筺体部２２は、図１に示すように、防水ボックス２０に携帯電話１０が収納されたときに携帯電話１０の背面が位置する面（図１中、右側面）が比較的薄肉（例えば、１．０ｍｍなど）に形成され、その他の面が比較的厚肉（例えば、２．０ｍｍなど）に形成されている。なお、筺体部２２には、携帯電話１０を出し入れ可能なように、図示しない入出口や、携帯電話１０が収納されたときに入出口を塞ぐ図示しない蓋部を有する。この入出口や蓋部としては種々の態様のものとしてもよく、その部位も種々の場所に設けられるものとして構わなく、入出口や蓋部については本発明の中核をなさないため、これ以上の説明は省略する。
【００１６】
振動伝達部２６，２８は、振動を効率よく伝達可能な部材として例えばシリコンゴム（例えば、１０００ｋｇ／ｍ３の密度のものなど）などを金型に射出成形することにより形成され、図１に示すように、防水ボックス２０に携帯電話１０が収納されたときに携帯電話１０の背面が位置する面（図１中、右側面）で筺体部２２に機械的に接触するように設けられている。振動伝達部２６，２８は、図１および図２に示すように、それぞれ略直方体形状（例えば、筺体部２２に接する面を底面としたときに、底面１０ｍｍ×１０ｍｍ，高さ１５ｍｍの寸法など）に形成されている。振動伝達部２６は、携帯電話１０のバイブレータ１３の振動が最も強く発せられる部位（図２および図４中、波線に囲まれた部位）に接触するように位置が定められて筺体部２２内面に取り付けられ、振動伝達部２８は、振動センサ１４に接触するように位置が定められて筺体部２２内面に取り付けられている。
【００１７】
次に、こうして構成された実施形態の防水ボックス２０に収納された携帯電話１０の水中での通信動作原理を説明し、その後、実施形態の防水ボックス２０に収納された携帯電話１０の使用例について説明する。図５に、実施形態の防水ボックス２０に収納された携帯電話１０の水中での通信動作原理を模式的に示す。実施形態の防水ボックス２０および携帯電話１０では、バイブレータ１３から振動信号を発したときに、振動信号が振動伝達部２６を曲屈振動させ、この振動伝達部２６の曲屈振動が筺体部２２を振動させ、筺体部２２から水中に振動が伝播し、送信音波として情報を水中に伝送することができる。また、防水ボックス２０外部から筺体部２２に音波などの振動信号が作用したときには、同様に、作用した振動信号が振動伝達部２８を通じて携帯電話１０に作用し、携帯電話１０は、振動信号を振動センサ１４で検知することにより、情報を受信することができる。このように、実施形態の防水ボックス２０に収納された携帯電話１０では、水中で振動信号を送受信することができ、外部と通信を行なうことができる。ここで、防水ボックス２０の筺体部２２は、上述したように、振動伝達部２６，２８が設けられている面（図１や図５中、右側面）が比較的薄肉に形成されるものとしたから、バイブレータ１３から発せられた振動を効率よく水中に伝播させることができると共に外部から筺体部２２に作用する振動を効率よく振動センサ１４に検知させることができる。また、筺体部２２のその他の面は比較的厚肉に形成され、筺体部２２や支持部２４は、振動伝達部２６，２８に比して剛性の高い材質で形成されるものとしたから、携帯電話１０を筺体部２２内部に強固に支持することができると共に水圧による防水ボックス２０の変形を抑制することができ、防水ボックス２０の変形によって水中に伝送される振動信号が変化したり不要なノイズが含まれてしまうのを抑制することができる。
【００１８】
図６に、本発明の水中ボックス２０に収納された携帯電話１０を用いて水中で被写体物Ｆを撮影するときの様子の一例を模式的に示す。なお、図６や後述の図７および図８では、見やすさを考慮して防水ボックス２０の図示を省略している。実施形態の防水ボックス２０に収納された携帯電話１０では、水中で被写体物Ｆを撮影するときに、図５および図６に示すように、バイブレータ１３から振動を発生させて振動伝達部２６を通じて筺体部２２から被写体物Ｆに向けて振動信号（音波）を伝送する。この振動信号は、被写体物Ｆを反射して筺体部２２に作用し、振動伝達部２８を通じて振動センサ１４で検知される。このバイブレータ１３から伝送した振動信号が反射されて振動センサ１４で検知されるまでの時間を携帯電話１０の図示しないタイマによって計時することにより、計時した時間に基づいて携帯電話１０と被写体物Ｆとの距離を測定することができる。こうして携帯電話１０と被写体物Ｆとの距離測定を行なった後には、測定した距離を焦点として設定し、被写体物ＦをＣＣＤカメラ１５で撮影することができる。これにより、ＣＣＤカメラ１５に採取される光量が十分でないときにも、被写体物Ｆに自動で焦点を合わせるオートフォーカス機能を実現することができる。こうした距離測定は、ＣＣＤカメラ１５のオートフォーカス機能に用いるほかに、例えば、携帯電話１０を利用する利用者と同行者との距離や、利用者と岩などの障害物との距離測定に用いるものとしてもよい。
【００１９】
図７に、本発明の防水ボックス２０に収納された携帯電話１０を用いて水中から水上の通信対象Ｓと通信するときの様子の一例を模式的に示す。実施形態の防水ボックス２０に収納された携帯電話１０では、図５および図７に示すように、バイブレータ１３から振動信号を発生させることにより、振動伝達部２６を通じて筺体部２２から水中に振動信号を伝播させることができ、例えば船などの水上の通信対象Ｓに振動信号を伝送することができる。また、水上の通信対象Ｓから振動信号が発せられたときには、水中に伝播された振動信号を筺体部２２や振動伝達部２８を通じて振動センサ１４で検知ことにより、携帯電話１０は、通信対象Ｓからの振動信号を受信することができる。このときの通信としては、例えば、アナログ振幅変調方式を用いて携帯電話１０と通信対象Ｓとで文字情報をやりとりすることが考えられる。なお、やりとりする情報としては、文字情報だけでなく、位置情報や画像情報など種々の情報が考えられ、通信方法としては、アナログ振幅変調方式だけでなく、アナログ方式、デジタル方式、振幅変調、周波数変調など種々の方法を用いることが考えられる。
【００２０】
図８に、実施形態の防水ボックス２０に収納された携帯電話１０を複数用いて水中で通信を行なう際の様子の一例を模式的に示す。なお、図８では、説明の都合上、２台の携帯電話のうちの一方に「Ａ」を加えて符号を付している。実施形態の防水ボックス２０に収納された携帯電話１０では、図５および図８に示すように、バイブレータ１３から振動信号を発生させることにより、振動伝達部２６を通じて筺体部２２から水中に振動信号を発することができ、携帯電話１０から発せられた振動信号が防水ボックス２０Ａの筺体部に伝播すると、伝播した信号が振動伝達部２８Ａを通じて振動センサ１４Ａで検知されて携帯電話１０Ａに振動信号が伝送される。また、同様に、防水ボックス２０Ａに収納された携帯電話１０Ａから振動信号が水中に発せられたときには、発せられた振動信号を防水ボックス２０を介して振動センサ１４で検知することにより、携帯電話１０に振動信号が受信される。この場合の通信としても、上述したように、種々の情報を種々の通信方法によってやりとりすることが考えられる。また、こうした通信としては、防水ボックス２０に収納された携帯電話１０を３台以上用いて互いに通信を行なうものとしたり、防水ボックス２０に収納された携帯電話１０と水中に設けられた通信対象との間で通信を行なうものとしてもよい。
【００２１】
以上説明した実施形態の防水ボックス２０に収納された携帯電話１０では、防水ボックス２０が、携帯電話１０を収納する筺体部２２と、携帯電話１０のバイブレータ１３や振動センサ１４に接触する振動伝達部２６，２８と、備えるから、バイブレータ１３から発せられた振動信号を振動伝達部２６を介して筺体部２２から水中に伝播させることができ、外部に振動信号を伝送することができる。また、外部から振動信号が筺体部２２に作用したときには、作用した振動信号を振動伝達部２８を通じて振動センサ１４で検知することによって外部からの振動信号を受信することができる。さらに、対象物に対して振動信号を伝送すると共に伝送した振動信号が対象物を反射して戻ってくるのを受信し、振動信号を伝送してから反射されて戻ってくるまでに要した時間を計時することにより、防水ボックス２０に収納された携帯電話１０から対象物までの距離を測定することができる。
【００２２】
実施形態の防水ボックス２０では、振動伝達部２６は、略直方体形状に形成されるものとしたが、携帯電話１０から発せられる振動を筺体部２２に伝播させるものであればよく、略直方体形状以外の形状に形成されるものとしても構わない。図９から図１３に、変形例の振動伝達部の外観の一例を示す。変形例の振動伝達部１２６は、図９に示すように、略直方体形状の２つの側面に凹部（スリット）を有し、Ｈ字型の側面を有する形状（例えば、図９中、Ｗａ１，Ｗａ２＝１０ｍｍ、Ｗａ３＝１５ｍｍ、Ｗａ４＝５ｍｍ、Ｗａ５＝６ｍｍなど）に形成されている。この変形例の振動伝達部１２６を用いた場合には、バイブレータ１３を２００Ｈｚで振動させたときに、略直方体形状の振動伝達部を用いたときに比して約１．５倍の振幅の振動信号が筺体部２２から発せられた。また、変形例の振動伝達部２２６では、図１０に示すように、略直方体形状の１つの側面に凹部（スリット）を有し、コの字型の側面を有する形状（例えば、図１０中、Ｗｂ１，Ｗｂ２＝１０ｍｍ、Ｗｂ３＝１５ｍｍ、Ｗｂ４＝５ｍｍ、Ｗｂ５＝４ｍｍなど）に形成されている。この変形例の振動伝達部２２６を用いた場合には、バイブレータ１３を２００Ｈｚで振動させたときに、略直方体形状の振動伝達部を用いた場合に比して約２．５倍の振幅の振動信号が筺体部２２から発せられた。さらに、振動伝達部としては、図１１〜図１３に示すように、中空（図１１〜図１３中破線部）に形成されるものとしてもよい。ここで、変形例の振動伝達部３２６では、図１１に示すように、外観が略直方体形状に形成されると共に中心に略直方体形状の空隙が設けられるように形成され、変形例の振動伝達部４２６では、図１２に示すように、外観が略直方体形状に形成されると共に中心に変形例の振動伝達部１２６と同様の形状の空隙が設けられるように形成され、変形例の振動伝達部５２６では、図１３に示すように、外観が略直方体形状に形成されると共に中心に変形例の振動伝達部２２６と同様の形状の空隙が設けられるように形成されている。このように形成された振動伝達部３２６，４２６，５２６についてもバイブレータ１３からの振動を筺体部２２に好適に伝播させるものと考えられる。なお、振動伝達部２８としては、筺体部２２に作用する振動信号を携帯電話１０に伝播させるものであれば略直方体形状以外の形状のものとしてもよく、振動センサ２６と同様に、振動伝達部２８を図９〜図１３に示す形状に形成することにより、外部から筺体部２２に作用する振動信号を好適に伝播させて振動センサ１４に検知させることができることはいうまでもない。なお、振動伝達部２６，２８が曲屈振動して効率よく筺体部２２と携帯電話１０との間で振動信号を伝播させるには、携帯電話１０および防水ボックス２０の音響インピーダンス整合が重要となる。この観点では、振動伝達部２６の材料として３００〜２０００ｋｇ／ｍ３の密度のものが好ましい。
【００２３】
実施形態の防水ボックス２０では、筺体部２２は、略直方体形状の筺状に形成されるものとしたが、図１４に示すように、振動伝達部２６，２８が設けられた面（図１４中、右側面）が外部に向かって凸となる曲面状に形成されるものとしても構わない。こうすれば、振動伝達部２６，２８が設けられた面が平面に形成されている場合に比して、携帯電話１０のバイブレータ１３から発せられる振動信号をより指向性をもって水中に伝送することができる。
【００２４】
実施形態では、防水ボックス２０は、防水ボックス２０に携帯電話１０が収納されたときに携帯電話１０の背面が位置する面が比較的薄肉に形成され、その他の面が比較的厚肉に形成されるものとしたが、筺体部２２全体が一様な厚さに形成されるものとしたり、一面のうちの一部だけが薄肉に形成されてもよい。
【００２５】
実施形態では、携帯電話１０は、振動信号を発するのにバイブレータ１３を用いるものとしたが、これに代えて又は加えて、スピーカ１２から振動信号を発して防水ボックス２０から振動信号を伝送するものとしても構わない。この場合、防水ボックス２０の振動伝達部２６は、スピーカ１２と接する位置または近接する位置に設けられることが好ましい。
【００２６】
実施形態では、携帯電話１０は、外部から防水ボックス２０に作用する振動信号を振動センサ１４で検知するものとしたが、これに代えて又は加えて、外部から防水ボックス２０に作用する振動信号をマイクロホン１１で検知するものとしても構わない。この場合、防水ボックス２０の振動伝達部２８がマイクロホン１１と接する位置または近接する位置に設けられることが好ましい。
【００２７】
実施形態では、防水ボックス２０は、筺体部２２と支持部２４とを有するものとしたが、筺体部２２と支持部２４とは１つの部材として形成されるものとしても構わない。
【００２８】
実施形態の防水ボックス２０に収納された携帯電話１０では、携帯電話１０と被写体物Ｆとの距離を測定することができたり、水上の通信対象Ｓと通信を行なうことができたり、防水ボックス２０に収納された携帯電話１０を複数用いて互いに通信することができるものとして説明したが、水中で携帯電話１０から防水ボックス２０を介して振動信号を伝送することができるものであったり、水中で外部から防水ボックス２０に作用した振動信号を携帯電話１０で受信することができるものであればよく、これらのうちのいずれかの機能を有さないものとしても構わない。
【００２９】
実施形態では、携帯機器として、携帯電話１０を用いて説明したが、防水ボックス２０に収納されて水中で防水ボックス２０を介して外部に振動信号を伝送したり、防水ボックス２０を介して外部から振動信号を受信したりすることができる携帯機器であればよく、ノート型パーソナルコンピュータやＰＤＡ（Ｐｅｒｓｏｎａｌ  Ｄｉｇｉｔａｌ  Ａｓｓｉｓｔａｎｔ）、カメラなどを携帯機器として本発明を適用しても構わない。
【００３０】
上記の実施形態の一部または全部は、以下の付記のようにも記載されうるが、以下には限られない。
【００３１】
（付記１）携帯機器を収納して該携帯機器が被水するのを抑制する防水ボックスであって、
前記携帯機器を収納する筺体部と、
前記携帯機器が前記筺体部に収納されたときに該携帯機器の所定の部位と該筺体部とに接触する振動伝達部と、を有し、
水中において、前記携帯機器から発せられる所定の振動信号を前記振動伝達部を介して前記筺体部から外部に伝送するように形成されてなる、
ことを特徴とする防水ボックス。
【００３２】
（付記２）前記振動伝達部は、前記携帯機器の所定の部位として、該携帯機器が前記所定の振動信号を発するためのアクチュエータに接触するよう設けられてなる、
ことを特徴とする付記１に記載の防水ボックス。
【００３３】
（付記３）携帯機器を収納して該携帯機器が被水するのを抑制する防水ボックスであって、
前記携帯機器を収納する筺体部と、
前記携帯機器が前記筺体部に収納されたときに該携帯機器の所定の部位と該筺体部とに接触する振動伝達部と、を有し、
水中において、外部から前記筺体部に作用する所定の振動信号を前記振動伝達部を介して前記携帯機器に伝播させ、該携帯機器が前記所定の振動信号に基づく信号を検知するように形成されてなる、
ことを特徴とする防水ボックス。
【００３４】
（付記４）前記振動伝達部は、前記携帯機器の所定の部位として、該携帯機器が前記所定の振動信号に基づく信号を検知するためのセンサに接触するよう設けられてなる、
ことを特徴とする付記３に記載の防水ボックス。
【００３５】
（付記５）前記筺体部は、前記携帯機器を少なくとも２カ所以上で支持する、
ことを特徴とする付記１乃至４のいずれか１つに記載の防水ボックス。
【００３６】
（付記６）前記筺体部は、前記携帯機器を支持する少なくとも２つ以上の支持部を有する、
ことを特徴とする付記５に記載の防水ボックス。
【００３７】
（付記７）前記筺体部は、前記振動伝達部が設けられた面が外側に凸となる曲面形状に形成されてなる、
ことを特徴とする付記１乃至６のいずれか１つに記載の防水ボックス。
【００３８】
（付記８）前記振動伝達部は、曲屈振動によって前記筺体部と前記携帯機器との振動を伝播させるものであり、該曲屈振動の励振を助長するスリット又は空隙が形成されてなる、
ことを特徴とする付記１乃至７のいずれか１つに記載の防水ボックス。
【００３９】
（付記９）付記１乃至８のいずれか１つに記載の防水ボックスに収納可能な携帯機器であって、
振動信号を発信するアクチュエータと、
振動信号を検知する振動センサと、を有し、
前記防水ボックスに収納されているときに、水中で前記アクチュエータの駆動により前記防水ボックスを介して外部に振動信号を伝送すると共に水中で外部から前記防水ボックスに振動信号が作用したときに該作用した振動信号を該防水ボックスを介して前記振動センサで検知する、
ことを特徴とする携帯機器。
【００４０】
（付記１０）前記防水ボックスに収納されているときに、水中で、前記アクチュエータの駆動により前記防水ボックスを介して対象物に振動信号を送信し、該送信した振動信号が該対象物を反射して該防水ボックスに作用するのを前記振動センサで検知し、前記振動信号を送信してから該送信した振動信号が反射されて検知されるまでの時間を計時することにより前記対象物との距離を測定する、
ことを特徴とする付記９記載の携帯機器。
【符号の説明】
【００４１】
１０  携帯電話
１１  マイクロホン
１２  スピーカ
１３  バイブレータ
１４  振動センサ
１５  ＣＣＤカメラ
１６  操作ボタン
１７  ディスプレイ
１８  メモリ
１９  コントローラ
２０，１２０  防水ボックス
２２，１２２  筺体部
２４  支持部
２６，２８，１２６，２２６，３２６，４２６，５２６  振動伝達部
【図１】
2012124606.tif 000003
【図２】
2012124606.tif 000004
【図３】
2012124606.tif 000005
【図４】
2012124606.tif 000006
【図５】
2012124606.tif 000007
【図６】
2012124606.tif 000008
【図７】
2012124606.tif 000009
【図８】
2012124606.tif 000010
【図９】
2012124606.tif 000011
【図１０】
2012124606.tif 000012
【図１１】
2012124606.tif 000013
【図１２】
2012124606.tif 000014
【図１３】
2012124606.tif 000015
【図１４】
2012124606.tif 000016